(57)【特許請求の範囲】
【請求項１】
運転制御情報を記憶する書換可能な不揮発性記憶装置を制御手段内に有し固有のアドレスが設定された複数の空調要素から構成されると共に、各空調要素の制御手段が通信ラインにより接続されてなる空気調和気において、
前記不揮発性記憶装置に記憶された運転制御情報を書き換える際に、前記通信ラインを介して各空調要素の制御手段に信号を供給する通信変換回路と、書き換え対象とする前記空調要素のアドレスを設定するアドレス設定部とを具備する制御情報書換機を備え、前記空調要素の不揮発性記憶装置の種別を要求し判別して、当該不揮発性記憶装置に記憶された前記運転制御情報を書き換えることを特徴とする空気調和機。
【請求項２】
上記制御情報書換機は特定の空調要素のアドレスが設定されることを特徴とする請求工１に記載の空気調和機。
【請求項３】
上記制御情報書換機は複数の空調要素を対象とする一斉アドレスが設定されることを特徴とする請求工に記載の空気調和機。
【発明の詳細な説明】
【０００１】
【発明の属する技術分野】
本発明は、制御基板内等に書換可能なフラッシュメモリ等の不揮発性記憶装置を備えた空気調和機に係り、詳しくは不揮発性記憶装置に記憶された運転制御情報の書換えを容易にする技術に関する。
【０００２】
【従来の技術】
大店舗やオフィスビル等に設置される大規模な空気調和システムでは、多機能化や制御性の向上等を目的として、各種の運転制御プログラムや運転制御パラメータ（以下、運転制御情報と記す）の更改（いわゆる、バージョンアップ）が適宜行われることが多い。運転制御情報は、一般に、各空調要素（室外ユニットや室内ユニット）の制御基板上にソケットを介して搭載された記憶装置（メモリ用ＩＣ）に格納されており、バージョンアップにあたっては、メモリ用ＩＣをソケットから脱着して交換していた。ところが、空調要素内では間欠的な振動や急激な温度変化に起因するソケット部の接触不良等が生じる虞があるため、近年ではメモリ用ＩＣをはんだ付け等によって制御基板に確実に固着させたものも増えている。そして、この場合には制御基板全体を交換することになるため、バージョンアップに要する部品コストや作業工数が多大になる問題があった。
【０００３】
そこで、制御基板に搭載する記憶装置として、フラッシュメモリ等の書換可能な不揮発性記憶装置を採用し、この不揮発性記憶装置に運転制御情報を格納するものが出現している。この場合、例えばパーソナルコンピュータや専用の運転制御情報書換機等の外部端末機を用いることで、不揮発性記憶装置内の運転制御情報を容易に書換えられるため、バージョンアップに要するコストや作業工数が激減する。通常、この方式を採る空気調和システムでは、バージョンアップ用の情報（以下、バージョンアップ情報と記す）がフロッピィディスク、ＥＥＰＲＯＭ等の記憶手段を介して外部端末機に受け渡される一方、空調要素の制御基板（あるいは、筐体）には通信用インタフェースが設けられ、この通信用インタフェースに通信ケーブルを介して外部端末機が接続される。
【０００４】
【発明が解決しようとする課題】
外部端末機による運転制御情報の書換えは各空調要素に対して個別に行われるが、大規模な空気調和システムでは、書換作業が非常に手間の掛かるものとなっていた。例えば、高層ビルディング等においては、一台あるいは複数台の室外ユニットが屋上等に設置され、多数台の室内ユニットが各フロア（あるいは、各室）に分散して設置されており、サービス作業員が全ての空調要素に対して書換作業を行うには多大な時間と労力を要する。また、室内ユニットが天井埋込型である場合には、脚立等を用いた高所作業が要求されるため、安全面からも改善が望まれていた。
【０００５】
本発明は、上記問題点に鑑みなされたもので、運転制御情報の書換えを容易とした空気調和機を提供することを目的とする。
【０００６】
【課題を解決するための手段】
本発明は、運転制御情報を記憶する書換可能な不揮発性記憶装置を制御手段内に有し固有のアドレスが設定された複数の空調要素から構成されると共に、各空調要素の制御手段が通信ラインにより接続されてなる空気調和機において、不揮発性記憶装置に記憶された運転制御情報を書き換える際に、通信ラインを介して各空調要素の制御手段に信号を供給する通信変換回路と、書き換え対象とする空調要素のアドレスを設定するアドレス設定部とを具備する制御情報書換機を備え、前記空調要素の不揮発性記憶装置の種別を要求し判別して、当該不揮発性記憶装置に記憶された前記運転制御情報を書き換えることを特徴とする空気調和機。
【０００７】
空調要素の運転制御情報を書き換える場合には、制御情報書換機を空調要素の接続端子等、所定の箇所に接続して、通信変換回路から書換制御情報等を含む信号を通信ラインを介して各空調要素の制御手段に供給して不揮発性記憶手段の運転制御情報を書き換える。書き換え対象の空調要素は制御情報書換機のアドレス設定部にて、当該空調要素のアドレスを設定することで指定される。また、全ての室内ユニット等、複数の空調要素の運転制御情報を書き換える場合には、制御情報書換機に複数の空調要素を対象とする一斉アドレスを設定する。各空調要素は制御情報書換機から一斉アドレスを含む信号を受信して書き換え対象となり、通信ラインに多くの空調要素が接続されている場合には、一時に運転制御情報のバーションアップができ、書き換え処理時間が大幅に短縮される。
【０００８】
制御情報書換機による書き換えに際し、制御情報書換機が空調要素の不揮発性記憶装置の種別（書換可能／不能、記憶容量等）を要求することにより、各空調要素の不揮発性記憶装置が書換可能であるか書換不能であるか、記憶容量がいくらであるか等が認識される。よって、書換不能な空調要素がアドレス設定された場合に無用な書き換え処理を実行することがなく処理時間の短縮化が図れる。また、制御情報書換機に書換不能であることを表示すれば作業者がそのことを知ることができる。また、制御情報書換機が不揮発性記憶装置の記憶容量を認識することで、転送すべき制御情報の容量が確認される。
【０００９】
【発明の実施の形態】
以下、本発明の実施形態を図面に基づいて詳細に説明する。図１は本発明に係る空気調和システムの全体構成を示すブロック図であり、図２は室外ユニットおよび室内ユニットの構成を示す概略図である。尚、これらの図においては、実線で冷媒回路を示し、一点鎖線で制御・通信回路を示す。
【００１０】
図１に示したように、本実施形態の空気調和システムは、無極性２線方式の通信ライン３を介して接続された、室内ユニット５−１〜５−１１および室外ユニット７−１，７−２とから構成されている。図中、１１はワイヤードリモコン、１３はワイヤレスリモコンである。１は制御情報の書換作業時に通信ライン３の任意の箇所に接続される制御情報書換機である。
【００１１】
室外ユニット７−１、７−２、室内ユニット５−１〜５−１１、制御情報書換機１には通信ライン上の通信で使用される固有のアドレスが夫々設定されている。室外ユニット７−１，７−２、室内ユニット５−１〜５−１１、制御情報書換機１との間で発信元のアドレス、発信先のアドレス及び制御コマンドを含む通信信号の送受信が通信ライン３上で行われる。
【００１２】
図２に示したように、室内ユニット５−１〜５−１１側には、室内熱交換器２１、電動ファン２３、電動膨張弁２５、電気ヒータ２７等が設置されている。また、室外ユニット７−１，７−２側には、圧縮機３１、電磁式の四方弁３３、室外熱交換器３５、電動ファン３７、アキュムレータ３９等が設置されている。冷媒回路を構成する機器は、ガス冷媒あるいは液冷媒の流通に供される冷媒配管４１〜４７により接続されている。図中、５１はガスエンジンであり、フレキシブルカップリング５３を介して、圧縮機３１を駆動する。
【００１３】
各室内ユニット５−１〜５−１１内には、図３に示すようにフラッシュメモリを内蔵したＣＰＵ８１を始め、入出力インタフェース８２、通信インターフェース８３、タイミング制御回路８４、ＲＡＭ８５等から構成された、制御手段たる室内側コントロールユニット（以下、室内側ＥＣＵと記す）６１が設置されている。室内側ＥＣＵ６１には、通信ライン３や電動ファン２３、電動膨張弁２５、電気ヒータ２７の他、室温Ｔr を検出する室温センサ６３や、室内熱交換器２１の冷房運転時における入口側および出口側の冷媒温度Ｔfi，Ｔfoを検出する第１，第２冷媒温度センサ６５，６７、リモコンユニット１１等が接続されている。
【００１４】
また、両室外ユニット７−１，７−２内には、図３に示すようにフラッシュメモリを内蔵したＣＰＵ８１を始め、入出力インタフェース８２、通信インターフェース８３、タイミング制御回路８４、ＲＡＭ８５等から構成された、制御手段たる室外側コントロールユニット（以下、室外側ＥＣＵと記す）７１が設置されている。室外側ＥＣＵ７１には、通信ライン３や四方弁３３、電動ファン３７、ガスエンジン５１の他、圧縮機３１の吐出側冷媒圧力Ｐd を検出する圧力センサ７３、外気温Ｔa を検出する外気温センサ７５等が接続されている。
【００１５】
室内側ＥＣＵ６１及び室外側ＥＣＵ７１のタイミング制御回路８４は、図５に示すようにリセット信号制御回路９６、遅延回路９７及び書換電圧供給回路９８を備えており、ＣＰＵ８１から書換開始／終了信号がリセット信号制御回路９６及び遅延回路９７に入力されると、ＣＰＵ８１にリセット信号を出力すると共にリセット信号を出力した後、書換電圧ＶＰＰをＣＰＵ８１に供給／停止する。
【００１６】
制御情報書換機１は図４に示すように、ＣＰＵ９１を始め、各種情報を表示する表示部９２、書き換え制御情報を記憶したメモリ９３、書き換え対象とする室内ユニットまたは室外ユニットのアドレスを設定するアドレス設定部９４、通信ライン３での室内外ユニット間通信に適合する信号フォーマットで通信ライン３に信号を送受信するための通信変換回路９５を有している。
【００１７】
次に、冷房運転時における冷媒の流れを説明する。
【００１８】
室外ユニット７−１，７−２では、冷媒配管４７から圧縮機３１に吸引されたガス冷媒が、断熱圧縮により高温高圧となって圧縮機３１から吐出され、冷媒配管４１、四方弁３３、冷媒配管４２を経由して室外熱交換器３５に流入する。高温高圧のガス冷媒は、室外熱交換器３５内を通過する間に外気により冷却され、凝縮することにより液冷媒となった後、冷媒配管４３を経由して各室内ユニット５−１〜５−１１の電動膨張弁２５に流入する。
【００１９】
液冷媒は、電動膨張弁２５で流量を調整された後、冷媒配管４４を経由して室内熱交換器２１に流入する。液冷媒は、室内熱交換器２１内を通過する間に気化してガス冷媒となり、気化潜熱により電動ファン２３が送風した室内空気を冷却する。この際、室内側ＥＣＵ６１は、設定温度Ｔsと室温Ｔrとの偏差に基づき電動ファン２３の回転数（rpm）を制御すると共に、室内熱交換器２１の入口側冷媒温度Ｔfiと出口側冷媒温度Ｔfoとの偏差が所定値（例えば、０〜１℃）となるように電動膨張弁２５の開弁量（弁体駆動用ステップモータのステップ数）を制御する。室内熱交換器２１内で気化したガス冷媒は、冷媒配管４５から室外ユニット７−１，７−２内の四方弁３３、冷媒配管４６を経由してアキュムレータ３９に流入し、冷媒配管４７から再び圧縮機３１に吸引される。
【００２０】
また、暖房運転時には、室外側ＥＣＵ７１により、四方弁３３が破線で示すように切り換えられる。これにより、圧縮機３１から吐出された高温高圧のガス冷媒が室内熱交換器２１内で凝縮熱を放出して液冷媒となった後、室外熱交換器３５に流入して外気から気化潜熱を吸収することになる。
【００２１】
以下、本実施形態の作用を説明する。
【００２２】
本実施形態の空気調和システムでは、各空調要素（室内ユニット５−１〜５−１１、および室外ユニット７−１，７−２）の組立工程において、組立ラインに設置されたロムライター等により、それぞれの制御手段（室内側ＥＣＵ６１、室外側ＥＣＵ７１）のＣＰＵ８１に内蔵されたフラッシュメモリに各種の運転制御情報（運転制御プログラムや運転制御パラメータ）が書き込まれる。そして、これら運転制御情報に基づいて、室内側ＥＣＵ６１および室外側ＥＣＵ７１が各機器類を駆動制御して冷房運転や暖房運転を適宜行う。
【００２３】
さて、空気調和システムが設置された後、多機能化や制御性の向上等を図るため、あるいは、製造時に予測できなかった不具合を解消するため、ＣＰＵ８１内のフラッシュメモリに格納された運転制御情報のバージョンアップを行うことがある。この場合、空気調和システムの保守を行うサービス作業員は、先ず、制御情報書換機１を室外ユニット７−１または７−２の通信ライン接続用端子等、通信ライン３の任意の箇所に接続する。尚、通信ライン３接続用端子は、室外ユニット７−１，７−２の筐体内に配設されており、サービスパネル（図示せず）を開くこと等によって容易にアクセスできる。
【００２４】
以下に特定の室外ユニットまたは特定の室内ユニットに対する書き換えの手順を図６を参照して説明する。
【００２５】
先ず、空気調和システム内の制御情報を書き換えるＥＣＵ６１，７１を内蔵した室外ユニット７−１，７−２、室内ユニット５−１〜５−１１のアドレスを制御情報書換機１にキー入力によりアドレス設定部９４にて設定する。室内ユニット５−１（アドレス８００）内の制御情報を書き換える場合、制御情報書換機１にアドレス設定部９４からアドレス「８００」を設定する。制御情報書換機１のアドレスが「Ｅ４」であると、制御情報書換機１からの発信信号には、発信元アドレス「Ｅ４」、発信先アドレス「８００」が含まれ、室内ユニット５−１からの発信信号には発信元アドレス「８００」、発信先アドレス「Ｅ４」が含まれる。
【００２６】
書き換え対象ユニットを設定した後、制御情報書換機１の所定操作により、制御情報書換機１は運転を停止させるコマンドを送信する。このコマンドを受信した室内ユニット５−１は運転している場合は運転を停止して、処理正常信号（ＡＣＫ信号）を送信する。制御情報書換機１はこの信号を受信すると、室内側ＥＣＵ６１のＲＯＭ種別を確認するための信号を送信する。室内ユニット５−１は、この信号を受信するとＲＯＭ種別を示す信号を送信する。ＲＯＭ種別を示す信号は、図７に示すように書き換えできないマスクＲＯＭやワンタイムＲＯＭであるか、フラッシュメモリであるかを示すＲＯＭタイプと、フラッシュメモリである場合はその容量を示すＲＯＭサイズとを予め符号化された符号値として送信される。室内ユニット５−１はフラッシュメモリを内蔵したＣＰＵであるので、ＲＯＭタイプとして「１」がＲＯＭサイズとして例えば「２」（１２８Ｋバイト）が送信される。
【００２７】
なお、ここで制御情報書換機１が書換不可であることを示す信号ＲＯＭタイプ「０」を受信した場合は、書き換え不能であることを表示部９２に表示する。この場合は書き換え作業を中止することになる。
【００２８】
制御情報書換機１はＲＯＭタイプ「１」を受信すると、フラッシュメモリの各メモリブロックの制御情報のバーションを要求する信号を順次送信する。フラッシュメモリは記憶領域が所定容量（例えば１６Ｋバイト）毎のブロックに分割されており、各ブロック毎に制御情報のバージョン情報が格納されている。室内ユニット５−１のフラッシュメモリ容量が１２８Ｋバイトで各ブロックの容量が１６Ｋバイトであると８ブロック分あることになる。制御情報書換機１は受信した室内ユニット５−１のＲＯＭサイズからバージョンを要求すべきブロック数を認識する。
【００２９】
室内ユニット５−１はこのバージョン要求信号を受信する毎に、対応するブロックのバーション情報を送信する。制御情報書換機１は全ブロックのバージョン情報を受信すると、受信した各ブロックのバージョンとメモリ９３内の各ブロックのバージョンを比較して、以後はバージョンの異なるブロックのみの制御情報の書き換え動作を行う。
【００３０】
次に制御情報書換機１は書き換え準備コマンドを送信する。室内ユニット５−１はこの信号を受信するとＣＰＵ８１がタイミング制御回路８４に図８に示すような書換開始信号Ｐ１を出力する。タイミング制御回路８４はこの信号Ｐ１が入力されると、リセット信号制御回路９６からＣＰＵ８１にリセット信号を出力すると共に、遅延回路９７により遅延された書換開始信号Ｐ１の入力により書換電圧供給回路９８から所定時間Ｔ遅れてリセット信号の出力終了前に書換電圧ＶＰＰを供給する。ＣＰＵ８１はリセット信号の立ち下がりＰｄでリセットされた後、書換電圧ＶＰＰの入力によりフラッシュメモリに格納された書き換え前の情報をＲＡＭ８５にローディングしてＲＡＭ８５上で制御プログラムを実行し、書き換え準備が完了したことを示すＡＣＫ信号を送信する。
【００３１】
制御情報書換機１はＡＣＫ信号を受信すると書き換えるブロック毎に消去コマンドを送信する。室内ユニット５−１は消去コマンドを受信する毎にフラッシュメモリの対応ブロックに書き込まれた情報を消去して完了したことを示すＡＣＫ信号を送信する。
【００３２】
制御情報書換機１は書き換えるべきブロック数のＡＣＫ信号を受信すると書換制御情報信号をブロック毎に送信する。室内ユニット５−１はこの信号を受信する毎に対応するブロックに受信した制御情報を書き込んで書き込み正常終了後、ＡＣＫ信号を送信する。
【００３３】
制御情報書換機１は書き換えるべきブロック数のＡＣＫ信号を受信したら送信終了コマンドを出力する。室内ユニット５−１はこの信号を受信すると書き換え処理が終了したことを認識してＣＰＵ８１がタイミング制御回路８４へ図８に示すような書換終了信号Ｐ２を出力する。タイミング制御回路８４はこの信号が入力されるとＣＰＵ８１にリセット信号を出力すると共に所定時間Ｔ遅れてリセット信号の出力終了前に書換電圧の供給を停止する。ＣＰＵ８１はリセット信号の立ち上がりＲｄでリセットされてフラッシュメモリに書き換えられた制御情報（プログラム）に従い再起動される。
【００３４】
以上のようにして、空気調和システム内の特定の室内ユニットを指定してフラッシュメモリの内容を通信ライン３に接続した制御情報書換機１から書き換えることができる。
【００３５】
次に全ての室外ユニット７−１，７−２または全ての室内ユニット５−１〜５−１１の制御情報を書き換える手順を図９に従い説明する。
【００３６】
空気調和システム内の制御情報を書き換えるのが、全ての室外ユニット７−１，７−２の場合は室外一斉アドレス「Ｆ１」を、全ての室内ユニット５−１〜５−１１の場合は室内一斉アドレス「Ｆ０」を制御情報書換機１にキー入力によりアドレス設定部９４にて設定する。
【００３７】
以下、全ての室内ユニット５−１〜５−１１内の制御情報を書き換える場合について説明する。この場合、制御情報書換機１にアドレス設定部９４から室内一斉アドレス「Ｆ０」を設定し、制御情報書換機１からの発信信号には、発信元アドレス「Ｅ４」、発信先アドレス「Ｆ０」が含まれ、各室内ユニット５−１〜５−１１からの発信信号には発信元アドレス「各室内機のアドレス」、発信先アドレス「Ｅ４」が含まれる。
【００３８】
室内一斉アドレス「Ｆ１」の設定後、制御情報書換機１の所定操作により、制御情報書換機１は運転を停止させるコマンドを送信する。このコマンドを受信した各室内ユニット５−１〜５−１１は運転している場合は運転を停止して、ＡＣＫ信号を送信する。制御情報書換機１は全ての室内ユニット５−１〜５−１１からＡＣＫ信号を受信すると、室内側ＥＣＵ６１のＲＯＭ種別を確認するための信号を送信する。各室内ユニット５−１〜５−１１は、この信号を受信すると図７のＲＯＭ種別を示す信号を送信する。
【００３９】
制御情報書換機１は各室内ユニット５−１〜５−１１からこの信号を受信して、書き換え可能な室内ユニットの台数とそのアドレスを記録する。また、書き換えできない室内ユニットのアドレスも記録して、以後これら室内ユニットから送信される処理異常信号（ＮＡＫ信号）を正常と認識する。
【００４０】
次に制御情報書換機１は書き換え準備コマンドを送信する。書き換え可能な室内ユニットはこの信号を受信するとＣＰＵ８１はタイミング制御回路８４に図８に示すように書換開始信号Ｐ１を出力してリセットされた後、書換電圧ＶＰＰの入力によりフラッシュメモリに格納された書き換え前の情報をＲＡＭ８５にローディングしてＲＡＭ８５上で制御プログラムを実行すると共に書き換え準備が完了したことを示すＡＣＫ信号を送信する。書き換えできない室内ユニットはＮＡＫ信号を送信する。
【００４１】
制御情報書換機１は全ての書き換え可能な室内ユニットからＡＣＫ信号を受信すると消去コマンドを送信する。書き換え可能な室内ユニットは消去コマンドを受信するとフラッシュメモリに書き込まれた情報を消去して完了したことを示すＡＣＫ信号を送信する。
【００４２】
制御情報書換機１は全ての書き換え可能な室内ユニットからＡＣＫ信号を受信すると書換制御情報信号を送信する。書き換え可能な室内ユニットは夫々受信した制御情報をフラッシュメモリに書き込んで書き込み正常終了後、ＡＣＫ信号を送信する。ここで、制御情報書換機１は書き換え可能な室内ユニットからＮＡＫ信号を受信した場合は再度、書換制御情報を送信する。ＮＡＫ信号が特定の室内ユニットから所定回数連続して受信された場合はその室内ユニットは書き込み不良として以後ＮＡＫ信号を受信しても再送信の対象ユニットから外す。
【００４３】
制御情報書換機１は全ての書き換え可能な室内ユニットからＡＣＫ信号を受信したら送信終了コマンドを出力する。書き換え可能な室内ユニットは夫々この信号を受信すると書き換え処理が終了したことを認識してＣＰＵ８１がタイミング制御回路８４へ図８に示すように書換終了信号Ｐ２を出力して、書換電圧ＶＰＰの供給を停止した後、リセット信号の立ち上がりＲｕでフラッシュメモリに書き換えられた制御情報（プログラム）に従い再起動される。
【００４４】
以上のようにして、空気調和システム内の全室内ユニットのフラッシュメモリの内容を通信ライン３に接続した制御情報書換機１から書き換えることができる。
【００４５】
このような構成を採ったことにより、空気調和システムが高層ビルディング等に設置されている場合にも、サービス作業員が書き換え作業を行う各空調要素の設置場所に赴く必要がなくなり、バージョンアップに要する時間や労力が大幅に低減される他、室内ユニットが天井埋込型等であっても危険な高所作業が不要となる。
【００４６】
以上で実施形態の説明を終えるが、本発明は上記実施形態に限定されるものではなく本発明の趣旨を逸脱しない範囲で変形が可能である。例えば、上記実施形態においては、制御情報書換機１を通信ライン３に接続したが、図１０に示すように、室外側ＥＣＵ７１内にＲＳ２３２Ｃ（ＪＩＳｘ５１０１）規格等のコネクタ１００を配設した通信変換インタフェース９９を設け、コネクタ１００に制御情報書換機１を通信ケーブル１０１にて接続して、通信変換インターフェース９９、ＣＰＵ８１、通信インターフェース８３を介して書き換え処理の通信を行うようにしてもよい。また、制御情報書換機はパーソナルコンピュータに通信ラインで送受信される信号形式に適合する信号変換器を接続して構成することができる。さらに、図１０の構成ではＲＳ２３２Ｃ規格のコネクタを備えたパーソナルコンピュータを通信変換器無しに直接室外ユニットのコネクタ１００に通信ケーブルで接続して書き換え作業を行うよう構成することもできる。
【００４７】
【発明の効果】
以上述べたように、本発明によれば、制御情報書換機からの書き換え情報信号が、通信ラインを介して各空調要素の制御手段に供給されて不揮発性記憶手段の運転制御情報が書き換えられることになり、サービス作業員が各空調要素の設置場所に赴く必要がなくなる。
【００４８】
書き換え対象の空調要素はアドレスにより設定され、ひとつの空調要素または複数の空調要素の運転制御情報を書き換えることができる。複数の空調要素を書き換え対象とした場合は、一時に運転制御情報のバーションアップができ、書き換え処理時間を大幅に短縮できる。
【００４９】
また、制御情報書換機による書き換えに際し、制御情報書換機が空調要素の不揮発性記憶装置の種別を要求することにより、各空調要素の不揮発性記憶装置の種別が認識されるので、書換不能な空調要素がアドレス設定された場合に無用な書き換え処理を実行することがない。さらに、不揮発性記憶装置の記憶容量を認識することで、転送すべき制御情報の容量が確認され、適切に書き換え情報の転送をすることができる。
【図面の簡単な説明】
【図１】本発明に係る空気調和システムの全体構成を示すブロック図である。
【図２】室外ユニットおよび室内ユニットの構成を示す概略図である。
【図３】室外ユニットおよび室内ユニットの制御手段の構成を示すブロック図である。
【図４】制御情報書換機の構成を示すブロック図である。
【図５】タイミング制御回路の構成を示すブロック図である。
【図６】制御情報の書き換え手順を示す図である。
【図７】ＲＯＭ種別を示す図である。
【図８】タイミング制御回路の入出力信号のタイミングチャートである。
【図９】制御情報の書き換え手順を示す図である。
【図１０】室外ユニットおよび室内ユニットの制御手段の構成を示すブロック図である。
【符号の説明】
１  制御情報書換機
３  通信ライン
５−１〜５−１１  室内ユニット（空調要素）
７−１，７−２  室外ユニット（空調要素）
６１  室内側ＥＣＵ（制御手段）
７１  室外側ＥＣＵ（制御手段）
９４  アドレス設定部
９５  通信変換回路
【図１】
0003819583.tif 000002
【図２】
0003819583.tif 000003
【図３】
0003819583.tif 000004
【図４】
0003819583.tif 000005
【図５】
0003819583.tif 000006
【図６】
0003819583.tif 000007
【図７】
0003819583.tif 000008
【図８】
0003819583.tif 000009
【図９】
0003819583.tif 000010
【図１０】
0003819583.tif 000011